(57)【要約】  【課題】  製造容易で機械的強度の高い反射防止構造を有する光学素子を提供し、反射防止構造を有する光学素子を不要な回折光が発生しないように備えた光学系を提供する。  【解決手段】  透過光学面表面に使用波長以下の周期で微細な凹凸を複数有する光学素子２において、その微細な凸部１の断面形状が条件式：0.3＜ｈ／ｈ*＜0.9(ｈ：実際の凸部１の高さ、ｈ*：凸部１の断面において凸部１の両側面の底に接する部分での接線ｔが交わる点までの高さ)を満足する。【選択図】      図１
2005173457.tif 000002
【特許請求の範囲】
【請求項１】
透過光学面表面に使用波長以下の周期で微細な凹凸を複数有する光学素子において、その微細な凸部の断面形状が以下の条件式(1)を満足することを特徴とする光学素子；
0.3＜ｈ／ｈ*＜0.9  …(1)
ただし、
ｈ：実際の凸部の高さ、
ｈ*：凸部の断面において凸部の両側面の底に接する部分での接線が交わる点までの高さ、
である。
【請求項２】
透過光学面表面に使用波長以下の周期で微細な凹凸を複数有する光学素子において、その微細な凸部の周期的な配列が唯１つの方向についてのみ存在し、前記微細な凸部の断面形状が以下の条件式(2)を満足することを特徴とする光学素子；
0.5＜ｈ／ｈ*＜0.9  …(2)
ただし、
ｈ：実際の凸部の高さ、
ｈ*：凸部の断面において凸部の両側面の底に接する部分での接線が交わる点までの高さ、
である。
【請求項３】
光学面表面に使用波長以下の大きさの微細な凸部を周期的な配列で複数有する光学素子を備えた光学系において、前記凸部の周期的な配列が唯１つの方向についてのみ存在し、その周期方向が、前記光学面に入射する光線による入射面のうち、該光学面に対して最大の入射角度を与える入射面に対し略垂直であることを特徴とする光学系。
【請求項４】
光学面表面に使用波長以下の大きさの微細な凸部を周期的な配列で複数有する光学素子を備えた光学系において、前記凸部の周期的な配列が互いに異なる周期で互いに異なる方向に存在し、そのうちの小さい方の周期方向が、前記光学面に入射する光線による入射面のうち、該光学面に対して最大の入射角度を与える入射面に対し略平行であることを特徴とする光学系。
【発明の詳細な説明】
【技術分野】
【０００１】
本発明は反射防止構造を有する光学素子及び光学系に関するものであり、例えば、光学面表面に反射防止構造を有するレンズや平行平面板等の光学素子、及びそのような光学素子で構成された光学系に関するものである。
【背景技術】
【０００２】
光学素子の反射防止構造として、図９に示すように、光線透過面表面に使用波長以下の間隔(すなわち周期)Λで略円錐形状の凸部を並べた構造が知られている。このような構造はモスアイ(Moth eye)と呼ばれており、その製造方法が特許文献１で提案されている。各凸部の断面は三角形状を成しているため、凸部の高さｈが充分であれば入射光に対する屈折率は徐々に変化することになり、反射率は効果的に低減される。例えば、可視光線の波長４００〜７００ｎｍで用いる光学素子の場合、周期Λ＝１５０〜３００ｎｍ，底面の直径≒周期Λの円錐形状凸部を透過光学面表面に隙間なく敷き詰めれば、透過光学面表面での反射を効果的に防止することができる。
【特許文献１】特開２００１−２７２５０５号公報
【発明の開示】
【発明が解決しようとする課題】
【０００３】
しかし、屈折率の急激な変化を小さくするためには、使用波長に対して充分な高さｈが必要になる。一般的には、使用波長の１／３以上の高さｈが必要であり、斜入射に対しても低反射性を備えるためには、凸部を更に高くする必要がある。例えば、入射光線が可視光線である場合、長波長側の波長を考慮すると高さｈは２５０ｎｍ程度必要となり、斜入射を考慮すると高さｈは５００ｎｍ程度必要となる。したがって、周期Λを２５０ｎｍとするとアスペクト比(＝ｈ／Λ)は２となるが、このような高アスペクト比の構造を成形により転写複製することは困難である。また、アスペクト比が高いほど凸部の先端が鋭く尖ってしまうため、接触に対して脆くなるという問題もある。したがって、凸部が低くても低反射特性を有する反射防止構造が望まれている。また、モスアイのような微細な周期構造では不要な回折光が発生するおそれがあるので、反射防止構造を光学系に用いる際には不要な回折光の発生を抑える工夫も必要になる。
【０００４】
本発明はこのような状況に鑑みてなされたものであって、第１の目的は、製造容易で機械的強度の高い反射防止構造を有する光学素子を提供することにあり、第２の目的は、反射防止構造を有する光学素子を不要な回折光が発生しないように備えた光学系を提供することにある。
【課題を解決するための手段】
【０００５】
上記第１の目的を達成するために、第１の発明の光学素子は、透過光学面表面に使用波長以下の周期で微細な凹凸を複数有する光学素子において、その微細な凸部の断面形状が以下の条件式(1)を満足することを特徴とする。
0.3＜ｈ／ｈ*＜0.9  …(1)
ただし、
ｈ：実際の凸部の高さ、
ｈ*：凸部の断面において凸部の両側面の底に接する部分での接線が交わる点までの高さ、
である。
【０００６】
上記第１の目的を達成するために、第２の発明の光学素子は、透過光学面表面に使用波長以下の周期で微細な凹凸を複数有する光学素子において、その微細な凸部の周期的な配列が唯１つの方向についてのみ存在し、前記微細な凸部の断面形状が以下の条件式(2)を満足することを特徴とする。
0.5＜ｈ／ｈ*＜0.9  …(2)
ただし、
ｈ：実際の凸部の高さ、
ｈ*：凸部の断面において凸部の両側面の底に接する部分での接線が交わる点までの高さ、
である。。
【０００７】
上記第２の目的を達成するために、第３の発明の光学系は、光学面表面に使用波長以下の大きさの微細な凸部を周期的な配列で複数有する光学素子を備えた光学系において、前記凸部の周期的な配列が唯１つの方向についてのみ存在し、その周期方向が、前記光学面に入射する光線による入射面のうち、該光学面に対して最大の入射角度を与える入射面に対し略垂直であることを特徴とする。
【０００８】
上記第２の目的を達成するために、第４の発明の光学系は、光学面表面に使用波長以下の大きさの微細な凸部を周期的な配列で複数有する光学素子を備えた光学系において、前記凸部の周期的な配列が互いに異なる周期で互いに異なる方向に存在し、そのうちの小さい方の周期方向が、前記光学面に入射する光線による入射面のうち、該光学面に対して最大の入射角度を与える入射面に対し略平行であることを特徴とする。
【発明の効果】
【０００９】
本発明に係る光学素子によれば、透過光学面表面に有する微細な凸部の断面形状が所定の条件を満たした構成になっているため、凸部が低くてもその低反射特性によって高い反射防止効果が得られる。凸部が低いため転写複製が容易であり、接触に対する強度も向上する。したがって、製造容易であり機械的強度の高い反射防止構造を有する光学素子を実現することができる。また本発明に係る光学系によれば、微細な凸部の周期的な配列が所定の入射面に対して適正に配置された構成になっているため、反射防止構造を有する光学素子を備えているにもかかわらず、不要な回折光の発生を防止することができる。
【発明を実施するための最良の形態】
【００１０】
以下、本発明に係る反射防止構造を有する光学素子及び光学系を、図面を参照しつつ説明する。
【００１１】
《反射防止構造を有する光学素子》
本発明に係る光学素子は、透過光学面表面に反射防止構造を有する透過型の光学素子(例えばレンズや平行平面板等)である。その反射防止構造は使用波長以下の周期で設けられた複数の微細な凹凸から成っており、その凹凸は周期的な配列で複数設けられた微細な凸部で構成されている。凸部の大きさは使用波長以下の微細なものであり、その断面形状としては、１次元周期構造の場合、三角，台形，四角等が挙げられ、２次元周期構造の場合、釣鐘，円錐，円錐台，円柱等が挙げられる。図１(ａ)(ｂ)に、光学素子２の透過光学面表面に設けられた２つのタイプの凸部１の断面形状を拡大して示す。
【００１２】
図１に示す凸部１の断面形状は、以下の条件式(1)を満たした構成になっている。条件式(1)を満たすことにより、凸部１の高さｈが低くても反射率は低減されて、高い反射防止効果が得られる。凸部１が低いため接触に対する強度は高く、また、格子構造の原盤作製，転写複製のための樹脂成形等が容易である。したがって、機械的強度の高い反射防止構造を容易に作製することができる。
0.3＜ｈ／ｈ*＜0.9  …(1)
ただし、
ｈ：実際の凸部の高さ、
ｈ*：凸部の断面において凸部の両側面の底に接する部分での接線(図１中の一点鎖線ｔ)が交わる点までの高さ、
である。
【００１３】
また、凸部１の周期的な配列が唯１つの方向についてのみ存在する場合(つまり１次元周期構造の場合)には、下の条件式(2)を満たせば更に効果的である。
0.5＜ｈ／ｈ*＜0.9  …(2)
【００１４】
図１の例に限らず、透過光学面表面に使用波長以下の周期で微細な凹凸を複数有する光学素子において、その微細な凸部の断面形状が前記条件式(1)又は(2)を満足すれば、凸部が低くてもその低反射特性によって高い反射防止効果を得ることができる。条件式(1)又は(2)を満たした特徴的な断面形状を有する凸部の機能を、複数の凸部が１次元周期構造(つまり１次元格子)を構成する場合と２次元周期構造(つまり２次元格子)を構成する場合とに分けて、以下に説明する。
【００１５】
《１次元格子から成る反射防止構造の最適化》
図２に、６種類の１次元格子(光学面の表面に１方向にのみ周期的な凹凸がある格子)の凸部断面形状(上底幅／周期Λ，下底幅／周期Λ，ｈ／ｈ*等)を示す。また図３のグラフに、波長λ＝５００ｎｍ，７００ｎｍの光が垂直入射したときの各１次元格子(周期Λ＝２５０ｎｍ，光学素子２の屈折率ｎ＝１．５)での反射率(100％を１とする比率)の計算結果を示す。図３(ａ)での格子高さｈ＝２５０ｎｍであり、図３(ｂ)での格子高さｈ＝２００ｎｍであり、図３(ｃ)での格子高さｈ＝１５０ｎｍである。
【００１６】
１次元格子の格子高さｈが高い場合(ｈ＝２５０ｎｍ)、三角形状が波長λ＝５００ｎｍで最も低反射率を示す。しかし、格子高さｈが中程度の場合(ｈ＝２００ｎｍ)、波長λ＝７００ｎｍで台形Ａ(ｈ／ｈ*＝0.8)と台形Ｂ(ｈ／ｈ*＝0.6)が低い反射率を示す。格子高さｈが低い場合(ｈ＝１５０ｎｍ)、両波長において台形Ａ(ｈ／ｈ*＝0.8)と台形Ｂ(ｈ／ｈ*＝0.6)が低い反射率を示す。また波長λ＝７００ｎｍでは、台形Ａ(ｈ／ｈ*＝0.8)，台形Ｂ(ｈ／ｈ*＝0.6)及び台形Ｃ(ｈ／ｈ*＝0.4)が三角形状に優る低い反射率を示す。このように、ｈ／ｈ*を0.3〜0.9とすることで、格子高さｈを低くしても低反射率の構造とすることが可能であり、さらにｈ／ｈ*を0.5〜0.9とすることで、より好ましい効果を得ることができる。
【００１７】
《２次元格子から成る反射防止構造の最適化》
図４に、１０種類の２次元格子(光学面の表面に互いに異なる２方向に周期的な凹凸がある格子)の凸部断面形状(上底幅／周期Λ，下底幅／周期Λ，ｈ／ｈ*等)を示す。また図５のグラフに、波長λ＝５００ｎｍ，７００ｎｍの光が垂直入射したときの各２次元格子(正方配列，周期Λ＝２５０ｎｍ，光学素子２の屈折率ｎ＝１．５)での反射率(100％を１とする比率)の計算結果を示す。図５(ａ)(ｄ)での格子高さｈ＝２５０ｎｍであり、図５(ｂ)(ｅ)での格子高さｈ＝２００ｎｍであり、図５(ｃ)(ｆ)での格子高さｈ＝１５０ｎｍである。
【００１８】
２次元格子の格子高さｈが高い場合(ｈ＝２５０ｎｍ)、円錐形状が波長λ＝５００ｎｍで低反射率を示す。しかし、波長λ＝７００ｎｍもあわせて考えると、釣鐘Ａ(ｈ／ｈ*＝0.69)の方が低反射性に優れる。格子高さｈが中程度の場合(ｈ＝２００ｎｍ)、波長λ＝５００ｎｍ，７００ｎｍで円錐台Ａ(ｈ／ｈ*＝0.8)，円錐台Ｂ(ｈ／ｈ*＝0.6)，釣鐘Ａ(ｈ／ｈ*＝0.69)，及び釣鐘Ｂ(ｈ／ｈ*＝0.48)の方が低い反射率を示す。格子高さｈが低い場合(ｈ＝１５０ｎｍ)、円錐台Ａ(ｈ／ｈ*＝0.8)，円錐台Ｂ(ｈ／ｈ*＝0.6)，円錐台Ｃ(ｈ／ｈ*＝0.4)，釣鐘Ａ(ｈ／ｈ*＝0.69)，釣鐘Ｂ(ｈ／ｈ*＝0.48)，釣鐘Ｃ(ｈ／ｈ*＝0.46)，及び釣鐘Ｄ(ｈ／ｈ*＝0.37)の方が低い反射率を示す。このように、ｈ／ｈ*を0.3〜0.9とすることで、格子高さｈを低くしても低反射率の構造とすることが可能である。
【００１９】
《反射防止構造を有する光学系》
モスアイ(図９)等と呼ばれる微細構造の周期は、不必要な回折光が発生しないことを考慮して決められる。単純には、式：[使用波長]／[入射角度の正弦＋光学素子の屈折率]で決められる周期以下であればよい。図７(ａ)の断面図で示すように、屈折率ｎ(=1.5)の光学素子に対し入射角度α(=0,20,40,60,80°)で波長λ(=400,450nm)の光線が入射するとき、上記式に従って格子周期Λ(ｎｍ)を計算すると、その結果は表１に示すようになる。可視光線の場合、短い側の波長λ＝４００〜４５０ｎｍを考慮すると、格子周期Λは１５０〜３００ｎｍ以下であることが必要になる。また表１から明らかなように、入射角度αが大きいほど格子周期Λを小さくする必要がある。
【００２０】
【表１】
2005173457.tif 000003
【００２１】
また、図７(ｂ)の上面図で示すように１次元格子に対する方位角θを定義すると、１次元格子(凸部１の断面形状：三角，周期Λ＝２５０ｎｍ，格子高さｈ＝２５０ｎｍ，光学素子２の屈折率ｎ＝１．５)に対する光線(入射角度α＝４０°)の方位角θと不要回折光発生率(100％を１とする比率)との関係は、図６のグラフ(実線：ｐ偏光，破線：ｓ偏光)に示すようになる。図６(ａ)での波長λ＝４００ｎｍであり、図６(ｂ)での波長λ＝４５０ｎｍであり、図６(ｃ)での波長λ＝５００ｎｍである。図６(ａ)〜(ｃ)から分かるように、波長λが短くなるほど不要回折光が大きく発生する。したがって、短い波長λで不要回折光の発生を抑制するためには、回折格子の周期Λを小さくすることが必要となる。ここで注目したいのは、方位角θが大きい場合、つまり光線の入射面(plane of incidence)が１次元格子の山方向又は谷方向に対し、平行又は平行から３０°程度以内(つまり方位角θ＝６０〜９０°程度)であれば、不要回折光が発生しないことである。
【００２２】
したがって、１次元格子による反射防止構造を光学系の中で用いる場合、入射角度αが大きくなる方向に１次元格子の山又は谷を略平行に配置すれば、不要回折光の発生を防止することが可能である。言い換えれば、光学面に入射する光線による入射面のうち、その光学面に対して最大の入射角度を与える入射面に対し略垂直に、１次元格子の周期方向を設定すれば、反射防止構造を有する光学素子を備えているにもかかわらず、不要な回折光の発生を防止することができる。
【００２３】
２次元格子による反射防止構造を光学系の中で用いる場合には、入射角度αが大きくなる方向の格子周期を短くすることで上記と同様の効果が期待できる。つまり、凸部の周期的な配列が互いに異なる周期で互いに異なる方向に存在する２次元格子を光学系の中で用いる場合、光学面に入射する光線による入射面のうち、その光学面に対して最大の入射角度を与える入射面に対し略平行に、２次元格子の小さい方の周期方向を設定すれば、反射防止構造を有する光学素子を備えているにもかかわらず、不要な回折光の発生を防止することができる。
【００２４】
図８(ａ)に、反射防止構造をレンズ面に有する撮像レンズ装置の断面構成を模式的に示す。この撮像レンズ装置は、２枚のレンズ１０，２０から成る撮像光学系と、その像側に配置された撮像素子３０と、で構成されている。レンズ１０の像側のレンズ面１２には、１次元格子から成る反射防止構造が設けられており、レンズ２０の物体側のレンズ面２１には、１次元格子から成る反射防止構造が設けられており、レンズ２０の像側のレンズ面２２には、２次元格子から成る反射防止構造が設けられている。
【００２５】
図８(ｂ)に、撮像素子３０を正面から見た状態を示す。図８(ｂ)において、Ｘは撮像画面３１の画面長辺方向を示しており、Ｙは撮像画面３１の画面短辺方向を示している。また、図８(ｃ)に、２枚のレンズ１０，２０を正面から見た状態を示す。図８(ｃ)に示すレンズ面１２，２１において、ｖは１次元格子の山方向又は谷方向を示しており、図８(ｃ)に示すレンズ面２２において、ｘは２次元格子の小さい方の周期方向を示しており、ｙは２次元格子の大きい方の周期方向を示している。
【００２６】
図８(ｂ)に示すように撮像画面３１が縦横方向に扁平な矩形を成している場合、入射角度αが大きくなる方向は画面長辺方向Ｘとなる。したがって、この撮像レンズ装置においては、ｖ方向が画面長辺方向Ｘに対して略平行となるようにレンズ面１２，２１が配置されるのが好ましく、ｘ方向が画面長辺方向Ｘに対して略平行となり、かつ、ｙ方向が画面短辺方向Ｙに対して略平行となるようにレンズ面２２が配置されるのが好ましい。この配置により、上述した不要回折光防止効果が期待できる。
【図面の簡単な説明】
【００２７】
【図１】本発明に係る光学素子が有する微細凸部の断面形状を説明するための図。
【図２】６タイプの１次元格子の断面形状を示す図。
【図３】図２の１次元格子から成る反射防止構造の反射率を示すグラフ。
【図４】１０タイプの２次元格子の断面形状を示す図。
【図５】図４の２次元格子から成る反射防止構造の反射率を示すグラフ。
【図６】１次元格子での入射光の方位角と不要回折光発生率との関係を示すグラフ。
【図７】１次元格子に対する入射角度と方位角を説明するための図。
【図８】本発明に係る撮像光学系が有する反射防止構造を説明するための模式図。
【図９】反射防止構造の従来例を示す斜視図。
【符号の説明】
【００２８】
１    凸部
２    光学素子
ｔ    接線
α    入射角度
θ    方位角
１０    レンズ(光学素子)
２０    レンズ(光学素子)
１２    １次元格子から成る反射防止構造を有するレンズ面(透過光学面)
２１    １次元格子から成る反射防止構造を有するレンズ面(透過光学面)
２２    ２次元格子から成る反射防止構造を有するレンズ面(透過光学面)
３０    撮像素子
３１    撮像画面
【図１】
2005173457.tif 000004
【図２】
2005173457.tif 000005
【図３】
2005173457.tif 000006
【図４】
2005173457.tif 000007
【図５】
2005173457.tif 000008
【図６】
2005173457.tif 000009
【図７】
2005173457.tif 000010
【図８】
2005173457.tif 000011
【図９】
2005173457.tif 000012